(57)【要約】【課題】薄型ディスプレイ筐体内部に装置において最大の重量物であるディスプレイユニットと筐体外部にある壁掛け用の金具とを固定する金具が存在するため、ディスプレイの奥行きや重量を減少させるのに障害となっている。しかも、液晶テレビ等の薄型ディスプレイを購入したユーザで壁面に設置する割合は１０％にも満たない。その僅かな使用頻度にもかかわらず、従来の薄型ディスプレイは、筐体内部に前記金具を備え、奥行きや重量を増加させ、またそれに伴いコストがアップしていた。また、設計の自由度を奪っていた。【解決手段】かかる課題を解決するために本発明は、上記問題点を解決するために、ディスプレイユニットに対してバックキャビネットをかぶせた状態で外部からディスプレイユニットにネジ止め固定されるとともに壁面側に対して係止する機能をもつ仲介金具を有する薄型ディスプレイ装置を提供する。【選択図】図２Ａ
2008141606.tif 000002
【特許請求の範囲】
【請求項１】
ディスプレイユニットに対してバックキャビネットをかぶせた状態で外部からディスプレイユニットにネジ止め固定されるとともに壁面側に対して係止する機能をもつ仲介金具を有する薄型ディスプレイ装置。
【請求項２】
仲介金具は、
壁面側に対して係止するための係止金具と、
前記係止金具と連結するとともに、ディスプレイユニットに前記ネジ止め固定されるブリッジ金具と、からなる請求項１に記載の薄型ディスプレイ装置。
【請求項３】
仲介金具の係止金具と仲介金具のブリッジ金具とは画面の壁面に対する傾きを調整するために調整可能に連結されている請求項２に記載の薄型ディスプレイ装置。
【請求項４】
仲介金具のブリッジ金具は、ディスプレイユニットの一辺側と、前記一辺に対向する他の一辺側とでディスプレイユニットにネジ止め固定されるとともに、
仲介金具のブリッジ金具は、前記一辺側にネジ止め固定される第一橋脚金具と、前記他の一辺側にネジ止め固定される第二橋脚金具と、第一橋脚金具と、第二橋脚金具とに対してスライド自在に橋渡される架橋金具と、からなる請求項２又は３に記載の薄型ディスプレイ装置。
【発明の詳細な説明】
【技術分野】
【０００１】
本発明は、壁掛け可能な薄型ディスプレイにおいて、壁掛け固定用金具をディスプレイ筐体内部から除去することで、ディスプレイの軽量化、薄型化が可能な薄型ディスプレイ装置に関する。
【背景技術】
【０００２】
近年、液晶テレビやプラズマディスプレイ等の薄型ディスプレイは製造技術の進化により大型化が目覚しく、５０インチを越すディスプレイも市販化されている。これら薄型ディスプレイは、その薄型形状を利用して壁掛けが可能となっている。また、従来、薄型ディスプレイを壁面に設置する場合、ユーザが画面を見やすくするためほぼ垂直とするか、やや、下向きに傾斜させ取り付けており、そのため画面を特定の角度に調節するためのチルト機構を備えた据付金具を使用し薄型ディスプレイを壁面に設置していた。
【０００３】
ここで、図１３に従来の据付金具の側面図と薄型ディスプレイ筐体内部の断面の一例を示す。図１３（ａ）に示すように従来の薄型ディスプレイは、ディスプレイユニット（１３０３）と、フロントキャビネット（１３０４）とバックキャビネット（１３０５）からなる筐体と、その筐体内にあり、前記ディスプレイユニットに直接ネジ止め固定されたブリッジ状の金具（１３０１）を有する。また、そのディスプレイを壁面に係止するため、複数の金具（１３６１、１３６２、１３６３、１３６４）からなる据付金具を有する。
【０００４】
ここで、金具１３６１は、前述したようにディスプレイユニット（１３０３）に直接ネジ止め固定されたブリッジ状の金具（１３０１）にバックキャビネット（１３０５）を介しネジ止め固定される。さらに、金具１３６１は、金具１３６３と金具１３６２により連結される。またさらに、金具１３６４は、図に示すようにネジ止め等で壁面（１３１０）に固定される。ここで、金具１３６１、１３６２、１３６３が連結された状態を（ｂ）に示す。金具１３６２が金具１３６１と金具１３６３を連結することで壁面に対してディスプレイが傾斜を持つことになる。またさらに、（ｂ）に示すように、金具１３６３が有する貫通穴（１３７１）に金具１３６４が有するフック部分（１３７２）を引っ掛けることにより、ディスプレイを壁面に係止することができる。またここで、図１４に図１３における金具１３６１、１３６３、１３６４の正面図の一例を示す（下二桁の符号が同一な場合、それぞれの図の金具が対応する）。図に示すように、１４７２は前述した図３の金具１３６４のフック部分であり、このフック部分が金具１４６３の貫通穴（１４７１）に挿入される。
【０００５】
ここで、図１５にディスプレイ装置のバックキャビネットをはずした状態において、前記ディスプレイユニットにネジ止め等で固定されるブリッジ状の金具とディスプレイユニットの一例の斜視図を示す。図１５（ａ）はディスプレイユニットに前記ブリッジ状の金具が固定されている状態の斜視図である。このように、前記ブリッジ状の金具（１５０１）は液晶テレビなどの薄型ディスプレイにおいて最大の重量物であるディスプレイユニット（１５０３）に直接固定されている。また、（ｂ）に、ブリッジ状の金具をディスプレイユニットから取り外した状態の斜視図の一例を示す。このように、ブリッジ状の金具の下にも電子部品等が配置されていることがわかる。
【特許文献１】特開平２００３−３２５７４
【発明の開示】
【発明が解決しようとする課題】
【０００６】
しかしながら、本来できるだけ薄型化を目指してディスプレイを開発しているが、この前述したブリッジ状の金具が薄型ディスプレイ筐体内部に存在するため、ディスプレイ全体の奥行きを減少させるのに障害となっている。さらに前記ブリッジ状の金具は、金属で形成されているため、装置の重量を減少させることに対しても障害となる。またさらに、前記ブリッジ状の金具の近辺には、回路部品が多数存在するため、金具と電子部品の接触防止のためにも、ある一定の空間距離を確保する必要がある。そのため、部品の高さに制約が生じ、装置の設計上の自由度の障害となっていた。これら前述したような障害があるにも関わらず、液晶テレビ等の薄型ディスプレイ装置を購入したユーザで壁面に設置する割合は１０％にも満たない。その僅かな使用頻度にもかかわらず、従来の薄型ディスプレイ装置は、筐体内部に前述したようなブリッジ状の金具を備え、奥行きや重量を増加させ、またそれに伴いコストがアップしていた。またさらに、設計の自由度も奪っていた。
【課題を解決するための手段】
【０００７】
そこで、上記問題点を解決するために、本件発明では、ディスプレイユニットに対してバックキャビネットをかぶせた状態で外部からディスプレイユニットにネジ止め固定されるとともに壁面側に対して係止する機能をもつ仲介金具を有する薄型ディスプレイ装置を提供する。また、仲介金具は、壁面側に対して係止するための係止金具と、前記係止金具と連結するとともに、ディスプレイユニットに前記ネジ止め固定されるブリッジ金具と、からなる薄型ディスプレイ装置を提供する。また、仲介金具の係止金具と仲介金具のブリッジ金具とは画面の壁面に対する傾きを調整するために調整可能に連結されている薄型ディスプレイ装置を提供する。また、仲介金具のブリッジ金具は、ディスプレイユニットの一辺側と、前記一辺に対向する他の一辺側とでディスプレイユニットにねじ止め固定されるとともに、仲介金具のブリッジ金具は、前記一辺側にネジ止め固定される第一橋脚金具と、前記他の一辺側にネジ止め固定される第二橋脚金具と、第一橋脚金具と、第二橋脚金具とに対してスライド自在に橋渡される架橋金具と、からなる薄型ディスプレイ装置を提供する。
【発明の効果】
【０００８】
以上のような構成をとる本発明によって、薄型ディスプレイをさらに薄型化可能で、また重量も削減することができる。またさらに、ブリッジ金具が本体内にないためコストを下げることができる。また金属性のブリッジ金具がなくなるため、電子部品の配置や高さ制限がなくなるため、設計の自由度をあげることができる。
【発明を実施するための最良の形態】
【０００９】
以下に、各発明の実施の形態を説明する。なお、本発明はこれら実施の形態に何ら限定されるものではなく、その要旨を逸脱しない範囲において、種々なる態様で実施しうる。
【００１０】
なお、以下の実施形態と請求項の関係は次の通りである。実施形態１は、主に請求項１などについて説明する。また、実施形態２は、主に請求項２または請求項３などについて説明する。また、実施形態３は、主に請求項４などについて説明する。
【００１１】
<<実施形態１>>
<実施形態１の概要>
本実施形態の概略図の一例を図１に示す。図１（ａ）に示すように薄型ディスプレイ装置(正面側)（０１０１）が壁面（０１１０）に対して係止される。また、図１（ｂ）に薄型ディスプレイ装置背面を示す。この図に示すような金具（仲介金具）（０１０２）がバックキャビネット（０１０５）を介し薄型ディスプレイユニットに外部からネジ止め固定される。またここで、図１（ｃ）に、前記仲介金具を壁面（０１１０）に設置するための金具の一例を示す。この金具は図に示すようなフック（０１３１）を持ち、そのフックを前記仲介金具の穴（０１３２）に差し込むことで壁面に薄型ディスプレイ装置が係止されるようにしてもよい。
<実施形態１の構成>
図２に本実施形態の薄型ディスプレイ装置の側断面図（図１の線ＡＢで切断される面）の一例を示す（ただし、ネジ山は図示すべきでないが、明確化のため記載する）。本実施形態の薄型ディスプレイ装置は、図２に示すように、ディスプレイユニット（０２０３）に対してバックキャビネット（０２０５）をかぶせた状態で外部からディスプレイユニットにネジ止め固定されるとともに壁面（０２１０）側に対して係止する機能をもつ仲介金具（０２０２）を有するよう構成されている。図２Ａは仲介金具がディスプレイユニットにネジ止めされていない状態である。図に示すようにネジ（０２１１）によって、仲介金具の上から、バックキャビネットを介し、ディスプレイユニットにネジ止めする。その結果、（ｂ）の鎖線部（０２５０）に示すように、仲介金具、バックキャビネット、ディスプレイユニットがネジにより固定される。またここで、図に示すように、壁面にネジ（０２１２）によりネジ止め固定され前記仲介金具が係止されるような金具（０２０６）を用いて、仲介金具がディスプレイユニットにネジ止め固定された薄型ディスプレイ装置を壁面に設置してもよい。図２Ｂは前記仲介金具（０２０２）とその仲介金具が係止される壁面にネジ止め固定された金具（０２０６）を用いて、薄型ディスプレイ装置が壁面に係止が可能であることを示す図である。係止の仕方は従来技術でも記載したが、金具０２０６のフック（０２０７）を金具０２０２の貫通穴（０２０８）に通し、引っ掛けるようにしてもよい。
【００１２】
ここで、「ディスプレイユニット」（０２０３）とは、薄型ディスプレイ装置のディスプレイ機能を発揮するために必要な同装置の中心的構成部分である。例えば、液晶ディスプレイユニットの場合、バックライト、導光板、反射板、拡散板、偏光フィルム、ＴＦＴ基板、ドライバ回路、コントローラ、液晶層、カラーフィルタ、及びこれらを保持するシャーシなどで構成される。また、このディスプレイユニット背面には種々の電子部品（０２０９）が配置される。ここで、本発明でいうところのディスプレイユニットには、従来技術で説明したブリッジ状の金具は含まれないことを確認しておく。
【００１３】
「バックキャビネット」（０２０５）は、直接ディスプレイユニットと仲介金具がネジ止めされるため、従来技術で図示したような背面形状が略平面ではなく、図２（ａ）の鎖線部（０２５１）で示すようなディスプレイユニットと仲介金具とをネジ止めする場所に凹部を有してもよい。また、図２（ｂ）に示すように、後述する仲介金具とディスプレイユニットがネジ止めされる箇所において、バックキャビネットは仲介金具とディスプレイユニットとで挟み込まれる状態となる。
【００１４】
「仲介金具」（０２０２）は、前記ディスプレイユニットに対してバックキャビネットを介し直接ネジ止めされる。また、前述したように、壁面にネジ止め固定され前記仲介金具が係止されるような金具（０２０６）に係止されるようにしてもよい。
【００１５】
また、図３に示すように、仲介金具（０３０２）を直接壁面（０３１０）にネジ（０３１２）によりネジ止めして薄型ディスプレイ装置（０３００）を壁面に設置してもよい。またさらに、可能であるならば仲介金具に接着剤を用い、壁面に設置してもかまわない。
【００１６】
<実施形態１の効果>
このような実施形態により、本発明の薄型ディスプレイ装置は、従来技術で説明したような装置筐体内部でディスプレイユニットにネジ止めされている金具を用いず、筐体外部から金具（仲介金具）をネジ止め等で固定することができる。このため、ディスプレイ装置の奥行きを減らすことができ、軽量化することができる。また、装置販売時に壁掛け用に用いる仲介金具をオプションにすることが可能となり、ディスプレイの壁掛け設置を望まないユーザが低価格で薄型ディスプレイ装置を買うことができる。また、装置内に金属製の金具がなくなるため、電子部品に対する接触の心配がなく、設計の自由度が大きくなる。
【００１７】
<<実施形態２>>
<実施形態２の概要>
本実施形態は、実施形態１を基本として、前記仲介金具が壁面に対して係止するための金具（係止金具）と、この金具と連結するディスプレイユニットにネジ止め固定される金具（ブリッジ金具）を有する。
【００１８】
<実施形態２の構成>
図４に本実施形態の薄型ディスプレイ装置の側断面図の一例を示す。本実施形態の薄型ディスプレイ装置（０４００）は、仲介金具（０４０２）が、係止金具（０４２１）と、ブリッジ金具（０４２２）と、からなるよう構成されている。
【００１９】
「ブリッジ金具」（０４２２）は、前記係止金具と連結するとともに、ディスプレイユニット（０４０３）に前記ネジ止め固定されるよう構成されている。図４Ａは分解一部側断面図であり、仲介金具である係止金具とブリッジ金具がディスプレイユニットにネジ止めされていない状態である。図に示すようにネジ（０４１１）によって、ブリッジ金具の上から、バックキャビネットを介し、ディスプレイユニットにネジ止めする。その結果、図４Ｂの鎖線部（０４５０）に示すように、ブリッジ金具（０４２２）、バックキャビネット（０４０５）、ディスプレイユニット（０４０３）が同一のネジにより固定される。また、図４Ｂはブリッジ金具がディスプレイユニットにネジ止めされ、さらにブリッジ金具と係止金具が連結した状態を示している。ここで、ブリッジ金具と係止金具は、図中の鎖線で示す連結部分（０４５２）でネジ止め等により連結されてもよい。ここで、その鎖線で示す連結部分（０４５２）の斜視図の一例を図５に示し、どのように連結されているかの例を示す。まず図５（ａ）に示すように、ブリッジ金具（０５２２）と係止金具（０５２１）のそれぞれの連結部（０５３１、０５３２）を重ねる。次に（ｂ）に示すように両方の金具（０５２１、０５２２）をボルト（０５３３）とナット（０５３４）で、固定する。
【００２０】
「係止金具」（０４２１）は、壁面（０４１０）側に対して係止するよう構成されている。
【００２１】
また、図４Ｂに示すように、壁面にネジ止めされた金具（０４０６）のフック（０４０７）を、係止金具（０４２１）の貫通穴（０４０８）に通し、引っ掛けるようにして、薄型ディスプレイ装置を壁面に設置してもよい。
【００２２】
また、図６に示すように、係止金具（０６２１）が、ネジ等（０６１２）によって直接壁面（０６１０）にネジ止めされるような構造を有していてもよい。
【００２３】
ここで、図７にブリッジ金具のいろいろな例の斜視図を示す。ブリッジ金具は（ａ）のように形成されていたり、（ｂ）のように２つに分かれて形成されていてもよい。また、（ｃ）のようにネジ止めの箇所のみ２つに分かれていてもよい。
【００２４】
ここで、図８に係止金具の各種の例の斜視図を示す。係止金具には同図（ａ）に示すように、壁面にネジ止めされた金具のフック（例えば図４Ｂ  ０４０７）に係止される貫通穴（０８３２）が形成されていてもよい。貫通穴の形状は問わないが図８（ａ）のように略台形であったり、長方形であったり、正方形などであってもよい。また、（ｂ）に示すように係止金具を直接壁面にネジ止めするための貫通穴（０８３５）を形成してもよい。また、（ｃ）に示すように、（ｂ）の係止金具が壁面に固定されている場合で、ブリッジ金具を係止金具に連結する際に、一旦ディスプレイ装置をブリッジ金具で支えて仮置きできるような棚（０８３６）を有していてもよい。大型画面のディスプレイ装置を持ち上げた状態で静止させてブリッジ金具と係止金具とのボルト締結をするのは困難だからである。
【００２５】
また、図９に示すように、仲介金具の係止金具と仲介金具のブリッジ金具とは画面の壁面に対する傾きを調整するために調整可能に連結されているよう構成されていてもよい。図９（ａ）は係止金具（０９２２）とブリッジ金具（０９２１）が連結されていない状態である。ここで係止金具とブリッジ金具との間に傾きを調節するための金具（０９２３）を有していてもよい。（ｂ）は係止金具とブリッジ金具とを前述したような傾きを調節するための金具（０９２３）を用い連結し、両金具（０９２１、０９２２）の間に所定の角度をつけた状態である。（ｃ）は（ｂ）の状態よりもさらに傾きを大きくした状態である。このように図中のブリッジ金具に形成された穴（０９２４）の位置もしくは金具０９２３の長さにより、両金具（０９２１、０９２２）間の角度が調節可能である。
【００２６】
<実施形態２の効果>
このような実施形態により、本発明の薄型ディスプレイ装置は、従来技術で説明したような装置筐体内部でディスプレイユニットをにネジ止めされている金具を用いず、筐体外部から金具（ブリッジ金具）をネジ止め等で固定することができる。また、係止金具とブリッジ金具との傾きを調節するよう連結する機能を有することで、薄型ディスプレイの画面の壁面に対して傾きを持って壁面に設置することができる。
【００２７】
<<実施形態３>>
<実施形態３の概要>
本実施形態は、実施形態２を基本として、前記ブリッジ金具が複数の金具を連結して構成されているものである。その複数の金具は、前記ブリッジ金具を固定するディスプレイ装置のサイズに合わせて、雌ネジの位置をフレキシブルに設定できるように調節できる点に特徴がある。
<実施形態３の構成>
図１０に本実施形態の薄型ディスプレイ装置の一例を示す。図１０Ａは本実施形態の薄型ディスプレイ装置の側断面図の一例である。図１０Ａに示すように、本実施形態の薄型ディスプレイ装置において、ブリッジ金具（１０２２）が、第一橋脚金具（１０４１）と、第二橋脚金具（１０４２）と、架橋金具（１０４３）と、からなるよう構成されている。（ａ）は第一橋脚金具と、第二橋脚金具とがディスプレイユニット（１００３）にネジ止めされていない状態であり、さらに架橋金具が、第一橋脚金具および第二橋脚金具とネジ等（１０７１）で固定されていない状態を示す。ここで第一橋脚金具および第二橋脚金具にはネジ等（１０７１）が止められるよう雌ネジが切られていてもよい。（ｂ）は第一橋脚金具と、第二橋脚金具とがディスプレイユニットにネジ止めされ、さらに架橋金具が第一橋脚金具および第二橋脚金具とネジ等（１０７１）で固定されている状態を示す（ボルトとナット等で固定されてもかまわない）。また、図１０Ｂは、第一橋脚金具（１０４１）と、第二橋脚金具（１０４２）と、架橋金具（１０４３）の正面図である。
【００２８】
「第一橋脚金具」（１０４１）は、ディスプレイユニットの一辺側にネジ止め固定されるよう構成されている。
【００２９】
「第二橋脚金具」（１０４２）は、ディスプレイユニットの前記一辺に対向する他の一辺側にネジ止め固定されるよう構成されている。
ここで、第一橋脚金具と第二橋脚金具が、ディスプレイユニットの一辺側と、前記一辺に対向する他の一辺側とでネジ止め固定されることについて説明する。図１０Ａの側断面図の一例に示すように、例えば、ブリッジ金具の一部である第一橋脚金具がディスプレイユニット上辺側にネジ止め固定されているとすると、ブリッジ金具のさらに一部である第二橋脚金具はディスプレイユニット下辺側にネジ止め固定されるということである。
【００３０】
「架橋金具」（１０４３）は、第一橋脚金具と、第二橋脚金具とに対してスライド自在に橋渡されるよう構成されている。ここで、図１０Ｂ、図１１、図１２を用いて、架橋金具が、第一橋脚金具と、第二橋脚金具とに対してスライド自在である状態について説明する。まず、図１０Ｂに示すように第一橋脚金具（１０４１）は、ボルト等が貫通する円形の穴（１０５１、１０５２）と、スリット状の切り込み（もしくはスリット状の穴）（１０５３、１０５４）を有しており、同様に、第二橋脚金具（１０４２）は、ボルト等が貫通する円形の穴（１０５７、１０５８）と、スリット状の切り込み（もしくはスリット状の穴）（１０５５、１０５６）を有している。また、架橋金具（１０４３）は、ボルト等が貫通する円形の穴（１０６３、１０６４、１０６５、１０６６）と、スリット状の穴（１０６１、１０６２、１０６７、１０６８）を有している。ここで、図１１に示すように、第一橋脚金具（１１４１）（鎖線で記載）と架橋金具（１１４３）、さらに、第二橋脚金具（１１４２）（鎖線で記載）と架橋金具（１１４３）とを、それぞれの穴が対応するように重ねる。つまり、前述した図１０Ｂの符号で説明すると、穴１０５１とスリット状の穴１０６１、穴１０５２とスリット状の穴１０６２、スリット状の切り込み１０５３と穴１０６３、スリット状の切り込み１０５４と穴１０６４、スリット状の切り込み１０５５と穴１０６５、スリット状の切り込み１０５６と穴１０６６、穴１０５７とスリット状の穴１０６７、穴１０５８とスリット状の穴１０６８とがそれぞれ対応して重なることになる。ここで、１０５３、１０５４、１０５５、１０５６、１０６１、１０６２、１０６７、１０６８はスリット状になっているため、第一橋脚金具と第二橋脚金具の間隔を狭くしたい場合は、第一橋脚金具と第二橋脚金具を架橋金具に対してスライドさせ、図１１（ａ）のような位置で第一橋脚金具および第二橋脚金具と架橋金具をボルトとナット等で固定すればよい。また、第一橋脚金具と第二橋脚金具の間隔を広くしたい場合は、図１１（ｂ）のような位置で第一橋脚金具および第二橋脚金具と架橋金具をボルトとナット等で固定すればよい。図１１（ａ）（ｂ）には、第一橋脚金具と第二橋脚金具の間隔が最小と最大の場合を示したが、間隔の設定は任意であり、ユーザがディスプレイの大きさに合わせ自由に調整できる。また、図１２（ａ）（ｂ）に図１１（ａ）（ｂ）の状態に対応する側面図を、ディスプレイユニットにブリッジ金具（第一橋脚金具、第二橋脚金具、架橋金具）がネジ止めされた状態を加えて示す（下二桁の符号が同一な場合、それぞれの図の金具が対応する）。以上により、架橋金具が、第一橋脚金具と、第二橋脚金具とに対してスライド自在である状態について説明を行ったとする。
【００３１】
<実施形態３の効果>
このような実施形態により、本発明の薄型ディスプレイ装置は、液晶テレビ等のディスプレイのサイズが変わっても、第一橋脚金具と第二橋脚金具を架橋金具に対してスライドさせることにより、ブリッジ金具のディスプレイユニットに対するネジ止め位置を対応させることができるため、このブリッジ金具だけで多機種に使用することができる。
【図面の簡単な説明】
【００３２】
【図１】実施形態１の薄型ディスプレイ装置の概略図の一例
【図２Ａ】実施形態１の薄型ディスプレイ装置の構成の一例
【図２Ｂ】実施形態１の薄型ディスプレイ装置の構成の一例
【図３】実施形態１の薄型ディスプレイ装置を壁面に係止した状態の一例
【図４Ａ】実施携帯２の薄型ディスプレイ装置の構成の一例
【図４Ｂ】実施携帯２の薄型ディスプレイ装置の構成の一例
【図５】実施形態２のブリッジ金具と係止金具の連結部の一例
【図６】実施形態２の薄型ディスプレイ装置を壁面に係止した状態の一例
【図７】実施形態２のブリッジ金具のいろいろな例
【図８】実施形態２に係止金具のいろいろな例
【図９】実施形態２のブリッジ金具と係止金具が傾き調整可能な状態の一例
【図１０Ａ】実施形態３の薄型ディスプレイ装置の構成の一例
【図１０Ｂ】実施形態３の薄型ディスプレイ装置の構成の一例
【図１１】実施形態３の第一橋脚金具と第二橋脚金具と架橋金具を重ねた状態の正面図の一例
【図１２】実施形態３の第一橋脚金具と第二橋脚金具と架橋金具を重ねた状態の側断面図の一例
【図１３】従来の薄型ディスプレイ装置の概略側面図の一例
【図１４】従来の薄型ディスプレイ装置を壁面に係止するための据付金具の一例
【図１５】従来の薄型ディスプレイ装置筐体内の斜視図の一例
【符号の説明】
【００３３】
０２０２    仲介金具
０２０３    ディスプレイユニット
０２０５    バックキャビネット
【図１】
2008141606.tif 000003
【図２Ａ】
2008141606.tif 000004
【図２Ｂ】
2008141606.tif 000005
【図３】
2008141606.tif 000006
【図４Ａ】
2008141606.tif 000007
【図４Ｂ】
2008141606.tif 000008
【図５】
2008141606.tif 000009
【図６】
2008141606.tif 000010
【図７】
2008141606.tif 000011
【図８】
2008141606.tif 000012
【図９】
2008141606.tif 000013
【図１０Ａ】
2008141606.tif 000014
【図１０Ｂ】
2008141606.tif 000015
【図１１】
2008141606.tif 000016
【図１２】
2008141606.tif 000017
【図１３】
2008141606.tif 000018
【図１４】
2008141606.tif 000019
【図１５】
2008141606.tif 000020